(57)【特許請求の範囲】
【請求項１】
展開状態において、中央に配置される背部と、この背部の左右両端部に連接される側部と、前記背部の上端部に連接される棚部とを備え、
前記背部、前記側部および前記棚部は、ブロー成形により一体に形成されており、
組立状態において、前記背部は、壁面への固定部となり、
前記側部は、前記背部に対して直角に屈曲されて、前記背部の左右両端部から前方へ突出して設けられ、
前記棚部は、前記背部に対して直角に屈曲されて、前記背部の上端部から前方へ突出して設けられて前記側部と連結され、
前記棚部の上面には、上方へ向けて開口する凹部が形成され、
前記側部には、ペーパーをカットするのに用いられるカッター部材が回転可能に取り付けられ、
前記側部同士を架け渡すように、ロール状のペーパーに通される軸部材を保持するホルダであって、
前記背部の上端部は、前記ブロー成形で中空状に形成された正面側の板片が背面側へ湾曲し、さらに、上方へ行くにしたがって背面側へ傾斜して、前後寸法が小さくなるよう形成され、かつ、前記背部と前記棚部との境界部は、前記正面側の板片と前記背面側の板片が一体化して、左右方向に沿って直線状にシート状部が形成されてなり、
前記棚部の前記背部に対する前記屈曲は、前記シート状部に沿って屈曲され、
前記棚部が水平に配置された状態では、前記棚部の後端部は、前記背部の上端部に沿って配置されている
ことを特徴とするペーパーホルダ。
【発明の詳細な説明】
【技術分野】
【０００１】
本発明は、トイレットペーパーやキッチンペーパーなどのロール状のペーパーを保持するホルダに関するものである。
【背景技術】
【０００２】
たとえば、トイレに設置されるトイレットペーパー用のホルダは、従来、合成樹脂を射出成形することで形成されたり、金属板により形成されたりしている。そして、予備のトイレットペーパーや小物などを置くことができるように、ホルダの上部に別途、棚板が取り付けられる場合がある。
【発明の概要】
【発明が解決しようとする課題】
【０００３】
しかしながら、従来は、ホルダと棚板が別々に設けられており、ホルダと棚板を別々に壁などに取り付ける必要があり、取り付けに時間がかかってしまっていた。
【０００４】
本発明が解決しようとする課題は、取り付けが容易な棚付きのペーパーホルダを提供することにある。
【課題を解決するための手段】
【０００５】
本発明は、前記課題を解決するためになされたもので、壁面への固定部となる背部と、この背部の左右両端部から前方へ突出して設けられ、ロール状のペーパーを回転自在に保持する側部と、前記背部の上端部から前方へ延出する棚部とを備え、前記背部、前記側部および前記棚部は、ブロー成形により一体に形成されることを特徴とするペーパーホルダである。
【０００６】
請求項２に記載の発明は、ロール状のペーパーに通される軸部材を保持するホルダであって、展開状態において、中央に配置される背部と、この背部の左右両端部に連接される側部と、前記背部の上端部に連接される棚部とを備え、前記背部、前記側部および前記棚部は、ブロー成形により一体に形成されており、前記側部は、前記背部に対して直角に屈曲されて、前記背部の左右両端部から前方へ突出して設けられ、前記棚部は、前記背部に対して直角に屈曲されて、前記背部の上端部から前方へ突出して設けられて前記側部と連結され、前記側部同士を架け渡すように、前記軸部材が取り付けられることを特徴とするペーパーホルダである。
【０００７】
請求項３に記載の発明は、前記棚部の上面には、凹部が形成されていることを特徴とする請求項１または請求項２に記載のペーパーホルダである。
【０００８】
さらに、請求項４に記載の発明は、前記側部には、ペーパーをカットするのに用いられるカッター部材が回転可能に取り付けられることを特徴とする請求項１から請求項３までのいずれかに記載のペーパーホルダである。
【発明の効果】
【０００９】
本発明によれば、取り付けが容易な棚付きのペーパーホルダを提供することができる。
【図面の簡単な説明】
【００１０】
【図１】本発明のペーパーホルダの一実施例を示す図であり、使用状態を示す斜視図である。
【図２】図１のペーパーホルダを示す分解斜視図である。
【図３】図１のペーパーホルダのホルダ本体を展開した状態を示す正面図である。
【図４】図１のペーパーホルダのホルダ本体を展開した状態を示す背面図である。
【図５】図３の右側面図である。
【図６】図３のＡ−Ａ断面図である。
【図７】図３のＢ−Ｂ断面図である。
【図８】図３のＣ−Ｃ端面図である。
【図９】図３のＤ−Ｅ線断面図である。
【図１０】図３の状態から側部を屈曲させた状態を示す斜視図である。
【図１１】図１のペーパーホルダを側面から見た縦断面図である。
【発明を実施するための形態】
【００１１】
以下、本発明のペーパーホルダの一実施例について図面に基づいて具体的に説明する。
【００１２】
図１は、本発明のペーパーホルダの一実施例を示しており、使用状態を示す斜視図である。図２は、図１のペーパーホルダを示す分解斜視図である。
【００１３】
本実施例のペーパーホルダ１は、ロール状のトイレットペーパー３に通される軸部材５を保持するホルダ本体１１と、ペーパーを切る際に用いられるカッター部材１３と、を主要部に備える。
【００１４】
図３および図４は、図１のペーパーホルダのホルダ本体を展開した状態を示す図であり、図３は正面図、図４は背面図である。また、図５は、図３の右側面図であり、図６は、図３のＡ−Ａ断面図であり、図７は、図３のＢ−Ｂ断面図であり、図８は、図３のＣ−Ｃ端面図であり、図９は、図３のＤ−Ｅ線断面図である。
【００１５】
ホルダ本体１１は、図３に示すように、展開した状態で形成され、これを組み立てることで、図２に示す形態となる。
【００１６】
本実施例では、ホルダ本体１１は、ブロー成形により中空状に形成される。その際、正面側の板片１５と背面側の板片１６とが前後に離隔して配置される。そして、後述するように、ホルダ本体１１は、溝３３やシート状部５１を介して、背部１７、側部１９，１９および棚部２１に仕切られる。
【００１７】
図３に示すように、ホルダ本体１１は、矩形板状の背部１７と、この背部１７の下部の左右両端部に連接される側部１９，１９と、背部１７の上端部に連接される棚部２１とを有する。
【００１８】
ホルダ本体１１は、各種合成樹脂により形成可能であるが、本実施例では、高密度ポリエチレンにより形成されている。
【００１９】
背部１７には、前後方向に沿う貫通穴２５が４つ形成されている。貫通穴２５は、段付き穴とされている。
【００２０】
図３および図８に示すように、正面側の板片１５が背面側へ凹んで形成されることで、背部１７と左右の側部１９，１９に区分けされている。図示例では、正面側の板片１５は、左右に離隔して、２箇所において背面側へ凹んで形成されている。これにより、背部１７と各側部１９との境界部には、上下方向に沿う直線状の溝３３が、正面側へ開口して形成されている。本実施例では、この溝３３は、図８に示すように、断面略三角形状とされる。
【００２１】
各側部１９の上端部には、上方へ突出して突出部３７が形成されている。
この突出部３７は、側部１９の上辺に沿って、つまり図３の左右に沿って、略矩形状に延出している。また、突出部３７の上端部３９は、前後（図７において左右）に突出して下端部より幅広に形成されると共に、上方へ行くに従って縮幅しており、側面視において断面略台形状に形成されている。
【００２２】
図３および図７に示すように、各側部１９には、その正面側の板片１５が背面側へ略円形状に凹んで、正面側へ開口する第一凹部４３が形成されている。また、この第一凹部４３より下方位置にも同様に第二凹部４５が形成されている。
【００２３】
背部１７は、側部１９より上方へ突出して形成されており、その上端部に棚部２１が設けられている。
図６に示すように、背部１７の上端部４７は、正面側の板片１５が背面側へ湾曲し、さらに、上方へ行くにしたがって背面側へ傾斜して、前後寸法が小さくなるよう形成されている。
【００２４】
背部１７と棚部２１との境界部は、正面側の板片１５と背面側の板片１６が一体化して、シート状に形成されており、このシート状部５１は、可撓性を有する。
本実施例では、背部１７と棚部２１との境界部において、左右方向に沿って直線状にシート状部５１が形成されている。このシート状部５１の板厚は、前記各板片１５，１６の厚みよりも薄い。
【００２５】
棚部２１は、背部１７より左右方向外側へ突出して形成されている。
図６および図９に示すように、棚部２１には、背面側の板片１６が正面側に凹んで、背面側へ開口する矩形状の凹部５３が形成されている。
【００２６】
また、図３や図９に示すように、棚部２１には、前後に貫通する取付穴５５が、左右に離隔して２つ形成されている。具体的には、棚部２１には、正面側の板片１５が背面側へ凹んで矩形状の凹部５９が、左右に離隔して２つ形成されている。この凹部５９の幅寸法（図３における左右寸法）は、側部１９の厚さに対応した寸法とされている。
【００２７】
そして、この凹部５９の底壁に前後方向に沿って取付穴５５が、背面側の板片１６まで延出して形成されている。この際、取付穴５５は、凹部５９の底壁（板片１５）より背面側が、外方に拡幅して段付きに形成されている。取付穴５５の小径穴５５ａの幅寸法（図４における左右寸法）は、突出部３７の幅寸法（図７おける左右寸法）に対応している。
【００２８】
図１０は、図３の状態から側部を屈曲させた状態を示す斜視図である。
図１１は、図１のペーパーホルダを側面から見た縦断面図である。
【００２９】
ホルダ本体１１は、図３に示す展開状態から、図１０に示すように、側部１９が、背部１７に対して直角に前方へ屈曲される。この際、側部１９は、溝３３に沿って屈曲される。次に、棚部２１が、背部１７に対して直角に前方へ屈曲される。この際、棚部２１は、シート状部５１に沿って屈曲される。そして、側部１９の上端部が、棚部２１の凹部５９にはめ込まれ、さらに側部１９の突出部３７が、棚部２１の取付穴５５にはめ込まれて、突出部３７が棚部２１に係合される。突出部３７が棚部２１の取付穴５５にはめ込まれた状態では、突出部３７の上端部３９が取付穴５５の大径穴５５ｂに配置される。そして、棚部２１の凹部５９の底壁（板片１５）が、突出部３７の上端部３９と側部１９の上面とに挟み込まれる。これにより、側部１９と棚部２１とが固定される。棚部２１が水平に配置された状態では、棚部２１の後端部６３は、背部１７の上端部４７に沿って配置されている。
【００３０】
このように、簡単な屈曲動作によって組み立てられることで、矩形板状の背部１７の左右両端部から前方へ突出して側部１９，１９が設けられ、背部１７の上端部から前方へ水平に突出して棚部２１が設けられる。組み立てられた状態では、棚部２１の後端部６３が、背部１７の上端部４７の湾曲及び傾斜部分に沿ってぴったり合うことによって、図１１に示すように、壁面Ｗに取り付けられた状態で、棚部２１の後端部６３を背部１７の上端部４７の湾曲及び傾斜部分で支えることができるので、棚部２１が背部１７及び側部１９に対して安定して配置されると共に、シート状部５１を壁面Ｗに近づけることができるので、壁面Ｗへの取付状態の見栄えが良くなる。また、棚部２１の凹部５３は上方へ向けて開口している。
【００３１】
図１１に示すように、組み立てられたホルダ本体１１は、背部１７が壁面Ｗに重ね合わされて、背部１７の貫通穴２５を介して、壁面Ｗにネジ６９がねじ込まれることで壁面Ｗに固定される。
【００３２】
図２に示すように、カッター部材１３は、矩形板状とされ、若干湾曲した形状とされる。カッター部材１３の後部には、左右方向外側に突出して、軸部７１が形成されている。
【００３３】
カッター部材１３は、その軸部７１が、ホルダ本体１１の側部１９の第一凹部４３にはめ込まれて、ホルダ本体１１に回転可能に取り付けられる。本実施例では、側部１９が中空状とされ、板片１５が可撓性を有することから、軸部７１を側部１９の第一凹部４３にはめ込むことができる。
【００３４】
軸部材５は、２つの筒体７５，７７により構成されており、一方の筒体７５に、他方の筒体７７が差し込まれて軸方向に伸縮可能とされている。各筒体７５，７７の端部には、軸方向外側へ突出して、凸部７９，８１が形成されている。また、内部にバネ材が設けられており、２つの筒体７５，７７は、互いに離間する方向に付勢されている。
軸部材５は、トイレットペーパー３の中心部に、軸方向に沿って通されて、その両端部に設けられた凸部７９，８１が、それぞれ側部１９の第二凹部４５にはめ込まれる。
【００３５】
本実施例では、図１に示すように、棚部２１に予備のトイレットペーパー９１を載せ置いたり、各種小物を置いたりすることができる。本実施例では、棚部２１に、予備のトイレットペーパー９１を３つ置くことができる。
【００３６】
本実施例のホルダ本体１１は、棚部２１が一体に設けられており、ホルダ本体１１を壁に固定することで、同時に棚部２１も取り付けられ、取り付けが容易とされる。
また、本実施例のホルダ本体１１は、展開した状態で保管および搬送ができ、かさばらず、場所をとらない。
【００３７】
本発明のペーパーホルダは、上記実施例の構成に限らず、適宜変更可能である。
たとえば、上記実施例では、棚部２１の上部に凹部５３を設けたが、棚部２１の上面を平板状として、予備のトイレットペーパーなどを置くようにしてもよい。
【００３８】
また、上記実施例において、カッター部材１３の設置を省略してもよい。
また、上記実施例では、軸部材５は、伸縮可能とされたが、単なる棒状として、側部１９の板片１５を撓ませて取り付けるようにしてもよい。
【００３９】
また、上記実施例では、トイレットペーパー用のペーパーホルダ１とされたが、キッチンペーパーやアルミホイルなどを保持するのに用いても構わない。つまり、本実施例におけるペーパーには、紙に限らず、各種シート材が含まれる。
【００４０】
また、上記実施例では、側部１９に突出部３７を設け、棚部２１に取付穴５５を設けて側部１９と棚部２１とを連結させたが、側部１９の上端部に取付穴を設け、棚部２１に突出部を設けて側部１９と棚部２１とを連結させるようにしてもよい。また、凹凸による連結に加えてまたはそれに代えて、側部１９と棚部２１とをネジで固定したり、接着剤により固定したりしてもよい。さらには、側部１９と棚部２１とを熱溶着により固定したりしてもよい。
【００４１】
さらに、上記実施例では、ホルダ本体１１は、壁面への固定部となる背部１７を介してネジを壁面にねじ込んで固定されたが、背部１７に磁石を固定して、金属製の扉や壁面などに磁着させたり、背部１７に両面テープを取り付けて、壁面に固定させたりしてもよく、その固定方法は特に問わない。
【符号の説明】
【００４２】
１  ペーパーホルダ
５  軸部材
１１  ホルダ本体
１３  カッター部材
１７  背部
１９  側部
２１  棚部
５３  凹部
【図１】
0006263109.tif 000002
【図２】
0006263109.tif 000003
【図３】
0006263109.tif 000004
【図４】
0006263109.tif 000005
【図５】
0006263109.tif 000006
【図６】
0006263109.tif 000007
【図７】
0006263109.tif 000008
【図８】
0006263109.tif 000009
【図９】
0006263109.tif 000010
【図１０】
0006263109.tif 000011
【図１１】
0006263109.tif 000012